(57)【要約】【課題】転倒防止効果が優れた、また野菜の可食部が淡色（または白色）で食感が軟らかい野菜の栽培に適し、しかも外観が美しいポット菜園用包装容器を得る。【解決手段】平坦な底壁１と、該底壁の周縁部から立上がる周側壁２と、該周側壁の上縁開口部を閉鎖する天井壁３とを有し、上記各壁が遮光性を有することを特徴とするポット菜園用包装容器。平坦な底壁１と、該底壁の周縁部から立上がる周側壁２と、該周側壁の上縁開口部を閉鎖する天井壁３とを有する包装容器内に培養土９および種苗１０が充填され、上記周側壁２および天井壁３が遮光性を有することを特徴とするポット菜園。【選択図】図２
2004298078.tif 000002
【特許請求の範囲】
【請求項１】
平坦な底壁１と、該底壁の周縁部から立上がる周側壁２と、該周側壁の上縁開口部を閉鎖する天井壁３とを有し、上記各壁が遮光性を有することを特徴とするポット菜園用包装容器。
【請求項２】
平坦な底壁１と、該底壁の周縁部から立上がる周側壁２と、該周側壁の上縁開口部を閉鎖する天井壁３とを有し、上記各壁が遮光性を有する包装容器であって、該底壁１と周側壁２の交差する内側隅部７が直角または鋭角を有することを特徴とするポット菜園用包装容器。
【請求項３】
楕円形を有する剛性枠８と、該枠の周縁部から立上がる略筒状の周側壁２と、該周側壁の上縁開口部を閉鎖する天井壁３とを有し、上記各壁が遮光性を有する包装容器であって、該剛性枠８と周側壁２の交差する内側隅部７が鋭角を有することを特徴とする請求項２に記載のポット菜園用包装容器。
【請求項４】
楕円形を有する剛性枠８と、該枠の周縁部から立上がる略筒状の周側壁２と、該周側壁の上縁開口部を閉鎖する天井壁３とを有し、上記各壁が遮光性を有する包装容器であって、該剛性枠８と周側壁２の交差する内側隅部７が鋭角を有し、被収納物充填時に底部が拡張して自己起立可能となるスタンデイングパウチであることを特徴とする請求項３に記載のポット菜園用包装容器。
【請求項５】
遮光性を有するフィルム状袋容器４と箱型容器Ａからなり、該フィルム状袋容器が該箱型容器Ａの内部に収納され、該箱型容器の開口部を外蓋６により閉鎖可能になっていることを特徴とする請求項２に記載のポット菜園用包装容器。
【請求項６】
包装容器が、底部に簀の子を保持してなる請求項１〜請求項５のいずれかに記載のポット菜園用包装容器。
【請求項７】
包装容器が、その周側壁２の開口部に切取案内用ミシン目が穿設されていることを特徴とする請求項１〜請求項５のいずれかに記載のポット菜園用包装容器。
【請求項８】
包装容器が、その周側壁の開口部に切取り案内用の切溝が設けられていることを特徴とする請求項１〜請求項５のいずれかに記載のポット菜園用包装容器。
【請求項９】
平坦な底壁１と、該底壁の周縁部から立上がる周側壁２と、該周側壁の上縁開口部を閉鎖する天井壁３とを有する包装容器内に培養土９および種苗１０が充填され、上記各壁が遮光性を有することを特徴とするポット菜園。
【請求項１０】
楕円形を有する剛性枠８と、該枠の周縁部から立上がる略筒状の周側壁２と、該周側壁の上縁開口部を閉鎖する天井壁３とを有し、上記各壁が遮光性を有する包装容器であって、該剛性枠２と周側壁２の交差する内側隅部７が鋭角を有し、被収納物充填時に底部が拡張して自己起立可能となるスタンデイングパウチであるポット菜園用包装容器の、内部に培養土９および種苗１０が充填されたことを特徴とするポット菜園。
【請求項１１】
遮光性を有するフィルム状袋容器４と箱型容器Ａからなり、該フィルム状袋容器４が該箱型容器の内部に収納され、該箱型容器の開口部を外蓋６により閉鎖可能になっているポット菜園用包装容器の、内部に培養土９および種苗１０が充填されたことを特徴とするポット菜園。
【発明の詳細な説明】
【０００１】
【発明の属する技術分野】
本発明は、栽培が難しいと言われる野菜や園芸植物の栽培を、家庭の庭、ベランダ（ぬれ縁）、軒下、テラス、室内など非常に狭い場所で、種苗の前処理、農地（またはプランター）の準備、施肥（または追肥）処理などに、高度な熟練と経験知識を必要とすることなく（初心者でも）非常に簡単に栽培を行うことが可能なポット菜園用包装容器、特に転倒防止効果が優れた、また軟化野菜の栽培に適した、また外観が美しい、ポット菜園用包装容器に関する。
なお、本発明でいう「ポット菜園」とは、包装容器内に培養土と種苗とを充填し、開口部を閉鎖した包装体を意味する。
【０００２】
【従来の技術】
従来、園芸植物の栽培は、ホームセンターなどにおいて培養土、プランター、種苗などを別々に購入し、先ず、プランターに培養土と種苗を入れ菜園を完成した後、水やり、射光、遮光または保温などして栽培することが行われていた。
【０００３】
しかし、こうして菜園を完成する方法は、労力および時間を要し、さらに最も重要なことであるが、栽培が難しいとされる、栄養繁殖植物体またはその一部（例えば里芋、ショウガおよびミョウガなどの地下塊茎植物、アスパラガス、ウドおよびミツバなどの塊根植物、フキなどの地下茎植物、ヤマイモおよびコンニャクなどの塊根植物、またはニンニクなどの球根植物）においては、高度な熟練と経験を必要とする場合があり、栽培がうまくゆかない場合がある欠点を有していた。
【０００４】
そこで、本発明者らは、栽培が難しい種苗を高度な熟練や経験を必要とすることなく、初心者でも立派に育成することができる、しかもポットで栽培することができる方法について、鋭意検討を重ねた結果、包装容器内に予め種苗に適した培養土と該種苗とを、該種苗が所定の位置となるように、充填し開口部を閉鎖したものは、熟練者による高度な栽培管理を行うことなく（初心者でも）、非常に簡単に栽培を行うことが可能となることを発見した。
【０００５】
しかし、このポット菜園は、家庭の庭、ベランダ（ぬれ縁）、軒下、テラス、室内など非常に狭い場所に設置すると、非常に不安定で、転倒し易く、したがって栽培が容易に行えないことを知った。また、周側壁および天井壁が無色〜淡黄色で透明の場合は、一部の野菜などにおいては可食部の肌が濃厚に着色し、また食感が硬くなる欠点を有することが判明した。また外から容器内培養土が透けて見えるため外観が悪い欠点を有することを知った。
【０００６】
【発明が解決しようとする課題】
本発明は、転倒防止効果が優れた、また野菜の可食部が淡色（または白色）で食感が軟らかい（以下、軟化ということがある）野菜の栽培に適し、しかも外観が美しいポット菜園用包装容器を得ることを目的とする。
【０００７】
【課題を解決するための手段】
本発明は、これらの課題を解決するために完成されたものであって、すなわち平坦な底壁１と、該底壁の周縁部から立上がる周側壁２と、該周側壁の上縁開口部を閉鎖する天井壁３とを有し、上記各壁が遮光性を有することを特徴とするポット菜園用包装容器を提供する。
【０００８】
また本発明は、平坦な底壁１と、該底壁の周縁部から立上がる周側壁２と、該周側壁の上縁開口部を閉鎖する天井壁３とを有し、上記各壁が遮光性を有する包装容器であって、該底壁１と周側壁２の交差する内側隅部７が直角または鋭角を有することを特徴とするポット菜園用包装容器を提供する。
【０００９】
また本発明は、楕円形を有する剛性枠８と、該枠の周縁部から立上がる略筒状の周側壁２と、該周側壁の上縁開口部を閉鎖する天井壁３とを有し、上記各壁が遮光性を有する包装容器であって、該剛性枠８と周側壁２の交差する内側隅部７が鋭角を有することを特徴とする前記ポット菜園用包装容器を提供する。
【００１０】
また本発明は、楕円形を有する剛性枠８と、該枠の周縁部から立上がる略筒状の周側壁２と、該周側壁の上縁開口部を閉鎖する天井壁３とを有し、上記各壁が遮光性を有する包装容器であって、該剛性枠８と周側壁２の交差する内側隅部７が鋭角を有し、被収納物充填時に底部が拡張して自己起立可能となるスタンデイングパウチであることを特徴とする前記ポット菜園用包装容器を提供する。
【００１１】
また本発明は、遮光性を有するフィルム状袋容器４と箱型容器Ａからなり、該フィルム状袋容器が該箱型容器Ａの内部に収納され、該箱型容器の開口部を外蓋６により閉鎖可能になっていることを特徴とする前記ポット菜園用包装容器を提供する。
【００１２】
また本発明は、包装容器が、底部に簀の子を保持してなる前記ポット菜園用包装容器を提供する。
【００１３】
また本発明は、包装容器が、その周側壁２の開口部に切取案内用ミシン目が穿設されていることを特徴とする前記ポット菜園用包装容器を提供する。
【００１４】
また本発明は、包装容器が、その周側壁の開口部に切取り案内用の切溝が設けられていることを特徴とする前記ポット菜園用包装容器を提供する。
【００１５】
また本発明は、平坦な底壁１と、該底壁の周縁部から立上がる周側壁２と、該周側壁の上縁開口部を閉鎖する天井壁３とを有する包装容器内に培養土９および種苗１０が充填され、上記各壁が遮光性を有することを特徴とするポット菜園を提供する。
【００１６】
また本発明は、楕円形を有する剛性枠８と、該枠の周縁部から立上がる略筒状の周側壁２と、該周側壁の上縁開口部を閉鎖する天井壁３とを有し、上記各壁が遮光性を有する包装容器であって、該剛性枠２と周側壁２の交差する内側隅部７が鋭角を有し、被収納物充填時に底部が拡張して自己起立可能となるスタンデイングパウチであるポット菜園用包装容器の、内部に培養土９および種苗１０が充填されたことを特徴とするポット菜園を提供する。
【００１７】
また本発明は、遮光性を有するフィルム状袋容器４と箱型容器Ａからなり、該フィルム状袋容器４が該箱型容器の内部に収納され、該箱型容器の開口部を外蓋６により閉鎖可能になっているポット菜園用包装容器の、内部に培養土９および種苗１０が充填されたことを特徴とするポット菜園を提供する。
【００１８】
【発明の実施の形態】
以下本発明を添付した図に基づいて詳細に説明する。
【００１９】
図１は、本発明の一具体例を示すポット菜園用包装容器の概略説明図、図２は本発明の別の一具体例を示すポット菜園用包装容器の縦断面概略説明図、図３は本発明のさらに別の一具体例を示すポット菜園用包装容器の概略説明図で、（ａ）はその斜視図、（ｂ）はその縦断面図、（ｃ）はその横断面図をそれぞれ示す。
【００２０】
図１は、本発明の一具体例を示すポット菜園用包装容器の概略説明図で、該ポット菜園用包装容器は、平坦な底壁１と、該底壁の周縁部から立上がる周側壁２と、該周側壁２の上縁開口部を閉鎖する天井壁３とを有し、上記周側壁２および天井壁３が遮光性を有している。
【００２１】
本発明において、上記周側壁２および天井壁３が遮光性を有していることは重要であって、周側壁および天井壁が無色〜淡黄色で透明の場合は、一部の野菜などにおいては可食部の肌が濃厚に着色し、また食感が硬くなるので好ましくない。
これに対し、上記周側壁２および天井壁３が遮光性を有している場合は、アスパラガス、ウド、ネギ、ミツバなどにおいては、収穫野菜の可食部の肌（外表面）が淡色、または白色になって、外観が美しくなり、しかも食感が軟らかくなるので好ましい。また、遮光性を有する包装容器を用いるときは、外から容器内培養土が見えにくく、あるいは見えないので、包装容器全体の外観が美しくなるので好ましい。
周側壁２および天井壁３は、黒色、青色、茶色あるいは緑色の場合、あるいは不透明（例えばアルミ箔の外周壁を有する）のものを採用することが好ましい。
【００２２】
次に図２は、本発明の別の一具体例を示すポット菜園用包装容器の縦断面概略説明図で、フィルム状袋容器４と箱型容器５からなり、該フィルム状袋容器４が該箱型容器５の内部に収納固定され、該箱型容器の開口部を外蓋６により閉鎖可能になっている。また、フィルム状袋容器４は、平坦な底壁１と、該底壁の周縁部から立上がる周側壁２と、該周側壁の上縁開口部を閉鎖する天井壁３とを有し、上記周側壁２および天井壁３が遮光性を有する包装容器であって、該底壁１と周側壁２の交差する内側隅部７が直角または鋭角を有している。
【００２３】
本発明において、該底壁１と周側壁２の交差する内側隅部７が直角または鋭角を有していることは極めて重要であって、この内側隅部７が鈍角である場合は、すなわち、上方に向かって開口部が拡大する形状の場合（例えばすり鉢の形状）は、転倒し易くなるので好ましくない。
【００２４】
次に図３は本発明のさらに別の一具体例を示すポット菜園用包装容器の概略説明図で、（ａ）はその斜視図、（ｂ）はその縦断面図、（ｃ）はその横断面図をそれぞれ示す。本発明のポット菜園用包装容器は、楕円形を有する剛性枠８と、該枠の周縁部から立上がる略筒状の周側壁３と、該周側壁３の上縁開口部を閉鎖する天井壁３とを有し、上記周側壁２および天井壁３が遮光性を有する包装容器であって、該剛性枠８と周側壁２の交差する内側隅部７が鋭角を有している。
【００２５】
本発明のポット菜園用包装容器を用いて植物を栽培するには、平坦な底壁１と、該底壁の周縁部から立上がる周側壁２と、該周側壁の上縁開口部を閉鎖する天井壁３とを有し、上記周側壁２および天井壁３が遮光性を有するポット菜園用包装容器の開口部から、野菜に適した培養土を充填する。
培養土としては、栽培する野菜、果樹、または草花などに適した窒素、燐酸、カリウムまたはカルシウム等の要素の少なくとも１つ、または化成肥料や有機質肥料等の即効性肥料、緩効性肥料、遅効性肥料、または即効性肥料と緩効性肥料との混合肥料の少なくとも１つ、を含有させたパーライト、ピートモス、ココピート、または通常の培養土等の吸湿性のある園芸用土資材が挙げられる。または上記培養土に必要により化成肥料および／または有機質肥料を施肥した培養土、または園芸用土資材に窒素、燐酸、カリウム、カルシウム、マグネシウム、化成肥料または有機質肥料の少なくとも１つを添加含有せしめた培養土などが挙げられる。
次いでこれに（ｂ）里芋、ショウガ、又はミョウガ等の塊茎から作成した根株、（ｃ）アスパラガス、ウド、又はミツバ等の塊茎から作成した根株、（ｄ）フキ等の地下茎から作成した親株、（ｅ）ジネンジョ、ナガイモ、イチョウイモ、又はヤマトイモ等のヤモイモ等の塊茎の切片（種イモ）、（ｆ）こんにゃく等の種いも又はその切片、又は（ｇ）にんにく等の球根の鱗片を、当該種苗に見合った深さ位置に包埋して、次いで開口部をヒートシールして本発明のポット菜園用包装容器を作成する。
【００２６】
なお、包装容器の所定位置（例えば底部）に、培養土を通過しない目開きをもった、多孔板、メッシュ（網目板）などの簀の子を介在すると、種苗が根腐れを起こしにくくなるので好ましい。
【００２７】
また包装容器の所定の開口位置（例えば周側壁の上端部）に、切取案内用ミシン目を穿孔したり、あるいは、切取り案内用の切溝が設けると、開口が容易になるので好ましい。
【００２８】
【実施例】
以下実施例を示して本発明をより具体的に説明する。
【００２９】
実施例１
縦３７ｃｍ、横１５ｃｍの平坦な底壁と、該底壁の周縁部から立上がる５７ｃｍの周側壁と、該周側壁の上縁開口部を閉鎖する天井壁とからなり、厚さ０．０７ｍｍの、各壁が緑色に着色したポリエチレン製のポット菜園用包装容器を得た。
【００３０】
実施例２
３０×５５ｃｍの大きさで、厚さ０．０４ｍｍの全面黒色のビニール袋と、１６×１６×１７ｃｍの大きさで、厚さ０．２ｍｍの内寸法を有する、透明のポリプロピレン製の箱型容器からなり、該フィルム状袋容器が該箱型容器の内部に収納固定され、該箱型容器の開口部を外蓋６により閉鎖可能になっているポット菜園用包装容器を得た。
【００３１】
実施例３
１５ｃｍ×３７ｃｍの楕円形を有する剛性枠と、該枠の周縁部から立上がる高さ５７ｃｍの略筒状の周側壁と、該周側壁の上縁開口部を閉鎖する天井壁とを有し、上記周側壁および天井壁が遮光性を有する包装容器であって、該剛性枠と周側壁の交差する内側隅部７が９５°の鋭角（図３のｃ参照）を有し、被収納物充填時に底部が拡張して自己起立可能となるスタンデイングパウチを用いたポット菜園用包装容器を得た。
【００３２】
実施例４
（アスパラガスのポット菜園用包装容器）
１１月２８日にアスパラガスの根株３株、約１ｋｇを畑より掘り取り、これを実施例１で得られた包装容器（袋容器）の開口部から、発芽方向を上にして入れ、次いで培養土のポットミックス（（株）ホーネンアグリ社製）を約８Ｌ入れて該根株を埋設した後、空気を抜きながら、該袋をヒートシールして密封し、アスパラガス作物のポット菜園を得た。
【００３３】
（アスパラガスの栽培）
１月３０日に実施例１で得たアスパラガスのポット菜園の箱蓋と内袋を開封して、０．５Ｌの水やりをし、輪ゴムで再びその内袋を閉じて、部屋の中のテーブル上で、栽培を開始した。この栽培期間中は、当該内袋中のパーライトＭ−１が乾燥しないように定期的に霧吹きで散水した。そして、２週間目には、可食部の肌が白く、食感が軟らかい（軟化した）ホワイトアスパラガスが収穫できるようになり、合計で２１本、２２０ｇが収穫できた
また、この容器は、転倒することもなく、非常に安定性が優れていることが判明した。
【００３４】
【発明の効果】
本発明によれば、家庭の庭、ベランダ（ぬれ縁）、軒下、テラス、室内など非常に狭い場所で栽培する場合に、転倒防止効果が非常に優れている、ポット菜園用包装容器を得ることができる。
【図面の簡単な説明】
【図１】本発明の一具体例を示すポット菜園用包装容器の概略説明図を示す。
【図２】本発明の別の一具体例を示すポット菜園用包装容器の縦断面概略説明図を示す。
【図３】本発明のさらに別の一具体例を示すポット菜園用包装容器の概略説明図で、（ａ）はその斜視図、（ｂ）はその縦断面図、（ｃ）はその横断面図をそれぞれ示す。
【符号の説明】
１：底壁
２：周側壁
３：天井壁
４：フィルム状袋容器
５：箱型容器
６：外蓋
７：隅部
８：剛性枠
９：培養土
１０：種苗
【図１】
2004298078.tif 000003
【図２】
2004298078.tif 000004
【図３】
2004298078.tif 000005